【誤訳訂正書】
【提出日】平成22年1月28日(2010.1.28)
【誤訳訂正１】
【訂正対象書類名】明細書
【訂正対象項目名】特許請求の範囲
【訂正方法】変更
【訂正の内容】
【特許請求の範囲】
【請求項１】  プロスタグランジン製品であって、以下：
ａ）水性プロスタグランジン組成物であって、治療有効量の少なくとも１種のプロスタグランジンおよび薬学的に受容可能な界面活性剤を含む、組成物；および
ｂ）ポリプロピレン容器
を含み、ここで、該水性プロスタグランジン組成物は該ポリプロピレン容器に詰められ、該ポリプロピレンが、アイソタクチックポリプロピレン、シンジオタクチックポリプロピレンおよびアイソタクチックポリプロピレンとシンジオタクチックポリプロピレンのブレンドからなる群より選択される、製品。
【請求項２】  請求項１に記載のプロスタグランジン製品であって、ここで、前記プロスタグランジンが、
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸（ｐｒｏｓｔｅｎｏｉｃ  ａｃｉｄ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸ｔ−ブチルエステル；
（５Ｚ）−（９Ｓ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｚ）−（９Ｒ，１１Ｒ，１５Ｓ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸Ｎ，Ｎ−ジメチルアミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロヘキシルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸シクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，２−ジメチルプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アダマンチルエステル（ａｄａｍａｎｔｙｌ  ｅｓｔｅｒ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジイソプロピルフェニルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジメチルフェニルエステル；
（５Ｚ，１３Ｅ）−（９Ｓ，１１Ｒ，１５Ｒ）−３−オキサ−９，１１，１５−トリヒドロキシ−１６−（３−クロロフェノキシ）−１７，１８，１９，２０−テトラノル−５，１３−プロスタジエン酸イソプロピルエステル（ｐｒｏｓｔａｄｉｅｎｏｉｃ  ａｃｉｄ  ｉｓｏｐｒｏｐｙｌ  ｅｓｔｅｒ）；
（５Ｚ）−（９Ｒ，１１Ｒ，１５Ｒ）−９−クロロ−１５−シクロヘキシル−１１−ヒドロキシ−１５−メトキシ−３−オキサ−１６，１７，１８，１９，２０−ペンタノル−５−プロステン酸ｔ−ブチルエステル；
（５Ｚ）−（９Ｒ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｅ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ）−９−クロロ−１５−シクロヘキシル−１１−ヒドロキシ−３−オキサ−１５−オキソ−１６，１７，１８，１９，２０−ペンタノル−５−プロステン酸ｔｅｒｔブチルエステル；
（５Ｚ）−（９Ｓ，１１Ｒ，１５Ｒ）−３−オキサ−１７−フェニル−９，１１，１５−トリヒドロキシ−１８，１９，２０−トリノル−５−プロステン酸イソプロピルエステル；
（５Ｚ）−（９Ｒ，１１Ｒ，１５Ｒ）−９−クロロ−１５−シクロヘキシル−１−（ジメチルアミノ）−３−オキサ−１６，１７，１８，１９，２０−ペンタノル−５−プロステン−１１，１５−ジオール；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステノール；
（９Ｒ，１１Ｒ，１５Ｒ）−９−クロロ−１５−シクロヘキシル−１１−ヒドロキシ−３−チア−１６，１７，１８，１９，２０−ペンタノル−１３−プロスチン酸（ｐｒｏｓｔｙｎｏｉｃ  ａｃｉｄ）；
ラタノプロスト（ｌａｔａｎｏｐｒｏｓｔ）（ＰｈＸＡ４１）；
クロプロステノール（ｃｌｏｐｒｏｓｔｅｎｏｌ）イソプロピルエステル；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５−プロステン酸；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５，１３−プロスタジエン酸；
（５Ｚ）−（９Ｒ，１１Ｒ，１５Ｒ）−９−クロロ−１５−シクロヘキシル−１１，１５−ジヒドロキシ−１６，１７，１８，１９，２０−ペンタノル−５−プロステン酸イソプロピルエステル；
（５Ｚ）−（９Ｓ，１１Ｒ，１５Ｓ）−１５−シクロヘキシル−９，１１，１５−トリヒドロキシ−１６，１７，１８，１９，２０−ペンタノル−５−プロステン酸イソプロピルエステル；
（５Ｚ，１３Ｅ）−（９Ｓ，１１Ｒ，１５Ｒ）−９，１１，１５−トリヒドロキシ−１６−（３−クロロフェノキシ）−１７，１８，１９，２０−テトラノル−５，１３−プロスタジエン酸アミド；
ＰＧＦ２αイソプロピルエステル；および
フルプロステノール（ｆｌｕｐｒｏｓｔｅｎｏｌ）イソプロピルエステルからなる群より選択される、製品。
【請求項３】  請求項２に記載のプロスタグランジン製品であって、ここで、前記プロスタグランジンが、（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；およびフルプロステノールイソプロピルエステルからなる群より選択される、製品。
【請求項４】  請求項１に記載のプロスタグランジン製品であって、ここで、前記組成物が局所的な眼用投与に適応され、そして前記界面活性剤がポリエトキシル化ヒマシ油を含む、製品。
【請求項５】  請求項４に記載のプロスタグランジン製品であって、ここで、前記ポリエトキシル化ヒマシ油が、ＰＥＧ−２〜ＰＥＧ−２００ヒマシ油；およびＰＥＧ−５〜ＰＥＧ−２００水素化ヒマシ油からなる群より選択される、製品。
【請求項６】  請求項１に記載のプロスタグランジン製品であって、ここで、前記ポリプロピレン容器が、局所的な送達のために適応されるポリプロピレンビンである、製品。
【請求項７】  請求項１に記載のプロスタグランジン製品であって、ここで、前記水性プロスタグランジン組成物が局所的な眼用投与のために適応され、そして前記ポリプロピレン容器が、局所的な眼用送達のために適応される少量ビンである、製品。
【請求項８】  請求項７に記載のプロスタグランジン製品であって、ここで、前記ポリプロピレン容器が、楕円形の、シンジオタクチックポリプロピレンビンである、製品。
【請求項９】  請求項８に記載のプロスタグランジン製品であって、ここで、前記水性プロスタグランジン組成物が、眼用に受容可能な保存剤を含む多用量組成物である、製品。
【請求項１０】  水性プロスタグランジン組成物の安定性を増大させるためのポリプロピレン容器の使用であって、該水性プロスタグランジン組成物が、該容器内に詰められ、プロスタグランジンおよび薬学的に受容可能な界面活性剤を含み、該ポリプロピレンが、アイソタクチックポリプロピレン、シンジオタクチックポリプロピレンおよびアイソタクチックポリプロピレンとシンジオタクチックポリプロピレンのブレンドからなる群より選択される、使用。
【請求項１１】  請求項１０に記載の使用であって、ここで、前記プロスタグランジン組成物が、
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸（ｐｒｏｓｔｅｎｏｉｃ  ａｃｉｄ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸ｔ−ブチルエステル；
（５Ｚ）−（９Ｓ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｚ）−（９Ｒ，１１Ｒ，１５Ｓ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸Ｎ，Ｎ−ジメチルアミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロヘキシルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸シクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，２−ジメチルプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アダマンチルエステル（ａｄａｍａｎｔｙｌ  ｅｓｔｅｒ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジイソプロピルフェニルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジメチルフェニルエステル；
（５Ｚ，１３Ｅ）−（９Ｓ，１１Ｒ，１５Ｒ）−３−オキサ−９，１１，１５−トリヒドロキシ−１６−（３−クロロフェノキシ）−１７，１８，１９，２０−テトラノル−５，１３−プロスタジエン酸イソプロピルエステル（ｐｒｏｓｔａｄｉｅｎｏｉｃ  ａｃｉｄ  ｉｓｏｐｒｏｐｙｌ  ｅｓｔｅｒ）；
（５Ｚ）−（９Ｒ，１１Ｒ，１５Ｒ）−９−クロロ−１５−シクロヘキシル−１１−ヒドロキシ−１５−メトキシ−３−オキサ−１６，１７，１８，１９，２０−ペンタノル−５−プロステン酸ｔ−ブチルエステル；
（５Ｚ）−（９Ｒ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｅ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ）−９−クロロ−１５−シクロヘキシル−１１−ヒドロキシ−３−オキサ−１５−オキソ−１６，１７，１８，１９，２０−ペンタノル−５−プロステン酸ｔｅｒｔブチルエステル；
（５Ｚ）−（９Ｓ，１１Ｒ，１５Ｒ）−３−オキサ−１７−フェニル−９，１１，１５−トリヒドロキシ−１８，１９，２０−トリノル−５−プロステン酸イソプロピルエステル；
（５Ｚ）−（９Ｒ，１１Ｒ，１５Ｒ）−９−クロロ−１５−シクロヘキシル−１−（ジメチルアミノ）−３−オキサ−１６，１７，１８，１９，２０−ペンタノル−５−プロステン−１１，１５−ジオール；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステノール；
（９Ｒ，１１Ｒ，１５Ｒ）−９−クロロ−１５−シクロヘキシル−１１−ヒドロキシ−３−チア−１６，１７，１８，１９，２０−ペンタノル−１３−プロスチン酸（ｐｒｏｓｔｙｎｏｉｃ  ａｃｉｄ）；
ラタノプロスト（ｌａｔａｎｏｐｒｏｓｔ）（ＰｈＸＡ４１）；
クロプロステノール（ｃｌｏｐｒｏｓｔｅｎｏｌ）イソプロピルエステル；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５−プロステン酸；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５，１３−プロスタジエン酸；
（５Ｚ）−（９Ｒ，１１Ｒ，１５Ｒ）−９−クロロ−１５−シクロヘキシル−１１，１５−ジヒドロキシ−１６，１７，１８，１９，２０−ペンタノル−５−プロステン酸イソプロピルエステル；
（５Ｚ）−（９Ｓ，１１Ｒ，１５Ｓ）−１５−シクロヘキシル−９，１１，１５−トリヒドロキシ−１６，１７，１８，１９，２０−ペンタノル−５−プロステン酸イソプロピルエステル；
（５Ｚ，１３Ｅ）−（９Ｓ，１１Ｒ，１５Ｒ）−９，１１，１５−トリヒドロキシ−１６−（３−クロロフェノキシ）−１７，１８，１９，２０−テトラノル−５，１３−プロスタジエン酸アミド；
ＰＧＦ２αイソプロピルエステル；および
フルプロステノール（ｆｌｕｐｒｏｓｔｅｎｏｌ）イソプロピルエステル
からなる群より選択されるプロスタグランジンを含む、使用。
【請求項１２】  請求項１１に記載の使用であって、ここで、前記プロスタグランジンが、（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；およびフルプロステノールイソプロピルエステルからなる群より選択される、使用。
【請求項１３】  請求項１０に記載の使用であって、ここで、前記組成物が局所的な眼用投与に適応され、そして前記界面活性剤がポリエトキシル化ヒマシ油を含む、使用。
【請求項１４】  請求項１３に記載の使用であって、ここで、前記ポリエトキシル化ヒマシ油が、ＰＥＧ−２〜ＰＥＧ−２００ヒマシ油；およびＰＥＧ−５〜ＰＥＧ−２００水素化ヒマシ油からなる群より選択される、使用。
【請求項１５】  請求項１０に記載の使用であって、ここで、前記ポリプロピレン容器が、局所的な送達のために適応されるポリプロピレンビンである、使用。
【請求項１６】  請求項１０に記載の使用であって、ここで、前記水性プロスタグランジン組成物が局所的な眼用投与のために適応され、そして前記ポリプロピレン容器が、局所的な眼用送達のために適応される少量ビンである、使用。
【請求項１７】  請求項１６に記載の使用であって、ここで、前記ポリプロピレン容器が、楕円形の、シンジオタクチックポリプロピレンビンである、使用。
【請求項１８】  請求項１７に記載の使用であって、ここで、前記水性プロスタグランジン組成物が、眼用に受容可能な保存剤を含む多用量組成物である、使用。
【請求項１９】  水性プロスタグランジン組成物の安定性を増大させる方法であって、該水性プロスタグランジン組成物が、プロスタグランジンおよび薬学的に受容可能な界面活性剤を含み、該方法が、該水性プロスタグランジン組成物をポリプロピレン容器に詰める工程を包含し、該ポリプロピレンが、アイソタクチックポリプロピレン、シンジオタクチックポリプロピレンおよびアイソタクチックポリプロピレンとシンジオタクチックポリプロピレンのブレンドからなる群より選択される、方法。
【請求項２０】  請求項１９に記載の方法であって、ここで、前記プロスタグランジン組成物が、
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸（ｐｒｏｓｔｅｎｏｉｃ  ａｃｉｄ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸ｔ−ブチルエステル；
（５Ｚ）−（９Ｓ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｚ）−（９Ｒ，１１Ｒ，１５Ｓ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸Ｎ，Ｎ−ジメチルアミド；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロヘキシルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸１−メチルシクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸シクロペンチルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，２−ジメチルプロピルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸アダマンチルエステル（ａｄａｍａｎｔｙｌ  ｅｓｔｅｒ）；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジイソプロピルフェニルエステル；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸２，６−ジメチルフェニルエステル；
（５Ｚ，１３Ｅ）−（９Ｓ，１１Ｒ，１５Ｒ）−３−オキサ−９，１１，１５−トリヒドロキシ−１６−（３−クロロフェノキシ）−１７，１８，１９，２０−テトラノル−５，１３−プロスタジエン酸イソプロピルエステル（ｐｒｏｓｔａｄｉｅｎｏｉｃ  ａｃｉｄ  ｉｓｏｐｒｏｐｙｌ  ｅｓｔｅｒ）；
（５Ｚ）−（９Ｒ，１１Ｒ，１５Ｒ）−９−クロロ−１５−シクロヘキシル−１１−ヒドロキシ−１５−メトキシ−３−オキサ−１６，１７，１８，１９，２０−ペンタノル−５−プロステン酸ｔ−ブチルエステル；
（５Ｚ）−（９Ｒ，１１Ｒ，１５Ｒ）−１５−シクロヘキシル−３−オキサ−９，１１，１５−トリヒドロキシ−１６，１７，１８，１９，２０−ペンタノル−５−プロステン酸イソプロピルエステル；
（５Ｅ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；
（５Ｚ）−（９Ｒ，１１Ｒ）−９−クロロ−１５−シクロヘキシル−１１−ヒドロキシ−３−オキサ−１５−オキソ−１６，１７，１８，１９，２０−ペンタノル−５−プロステン酸ｔｅｒｔブチルエステル；
（５Ｚ）−（９Ｓ，１１Ｒ，１５Ｒ）−３−オキサ−１７−フェニル−９，１１，１５−トリヒドロキシ−１８，１９，２０−トリノル−５−プロステン酸イソプロピルエステル；
（５Ｚ）−（９Ｒ，１１Ｒ，１５Ｒ）−９−クロロ−１５−シクロヘキシル−１−（ジメチルアミノ）−３−オキサ−１６，１７，１８，１９，２０−ペンタノル−５−プロステン−１１，１５−ジオール；
（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステノール；
（９Ｒ，１１Ｒ，１５Ｒ）−９−クロロ−１５−シクロヘキシル−１１−ヒドロキシ−３−チア−１６，１７，１８，１９，２０−ペンタノル−１３−プロスチン酸（ｐｒｏｓｔｙｎｏｉｃ  ａｃｉｄ）；
ラタノプロスト（ｌａｔａｎｏｐｒｏｓｔ）（ＰｈＸＡ４１）；
クロプロステノール（ｃｌｏｐｒｏｓｔｅｎｏｌ）イソプロピルエステル；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５−プロステン酸；
（５Ｚ）−（９Ｓ，１１Ｒ，１５Ｒ）−１−デカルボキシ−１−（ピバロイルオキシ）メチル−９，１１，１５−トリヒドロキシ−１６−［（３−クロロフェニル）オキシ］−１７，１８，１９，２０−テトラノル−５，１３−プロスタジエン酸；
（５Ｚ）−（９Ｒ，１１Ｒ，１５Ｒ）−９−クロロ−１５−シクロヘキシル−１１，１５−ジヒドロキシ−１６，１７，１８，１９，２０−ペンタノル−５−プロステン酸イソプロピルエステル；
（５Ｚ）−（９Ｓ，１１Ｒ，１５Ｓ）−１５−シクロヘキシル−９，１１，１５−トリヒドロキシ−１６，１７，１８，１９，２０−ペンタノル−５−プロステン酸イソプロピルエステル；
（５Ｚ，１３Ｅ）−（９Ｓ，１１Ｒ，１５Ｒ）−９，１１，１５−トリヒドロキシ−１６−（３−クロロフェノキシ）−１７，１８，１９，２０−テトラノル−５，１３−プロスタジエン酸アミド；
ＰＧＦ２αイソプロピルエステル；および
フルプロステノール（ｆｌｕｐｒｏｓｔｅｎｏｌ）イソプロピルエステル
からなる群より選択されるプロスタグランジンを含む、方法。
【請求項２１】  請求項２０に記載の方法であって、ここで、前記プロスタグランジンが、（５Ｚ）−（９Ｒ，１１Ｒ，１５Ｒ）−９−クロロ−１５−シクロヘキシル−１１，１５−ジヒドロキシ−３−オキサ−１６，１７，１８，１９，２０−ペンタノル−５−プロステン酸イソプロピルエステル；およびフルプロステノールイソプロピルエステルからなる群より選択される、方法。
【請求項２２】  請求項１９に記載の方法であって、ここで、前記組成物が局所的な眼用投与に適応され、そして前記界面活性剤がポリエトキシル化ヒマシ油を含む、方法。
【請求項２３】  請求項２２に記載の方法であって、ここで、前記ポリエトキシル化ヒマシ油が、ＰＥＧ−２〜ＰＥＧ−２００ヒマシ油；およびＰＥＧ−５〜ＰＥＧ−２００水素化ヒマシ油からなる群より選択される、方法。
【請求項２４】  請求項１９に記載の方法であって、ここで、前記ポリプロピレン容器が、局所的な送達のために適応されるポリプロピレンビンである、方法。
【請求項２５】  請求項１９に記載の方法であって、ここで、前記水性プロスタグランジン組成物が局所的な眼用投与のために適応され、そして前記ポリプロピレン容器が、局所的な眼用送達のために適応される少量ビンである、方法。
【請求項２６】  請求項２５に記載の方法であって、ここで、前記ポリプロピレン容器が、楕円形の、シンジオタクチックポリプロピレンビンである、方法。
【請求項２７】  請求項２６に記載の方法であって、ここで、前記水性プロスタグランジン組成物が、眼用に受容可能な保存剤を含む多用量組成物である、方法。